(57)【要約】【課題】品質の低下を招くことなく、また簡易なシステムおよび制御によって、記録データを良好に記録する。【解決手段】画像圧縮処理部１０３で生成された記録データ（圧縮画像データ）を圧縮処理単位で分割し、各単位記録データを、記録レート（ＴＷ）とネットワーク転送レート（ＴＮ）との相対比較結果に基づいて、内部記憶装置１０９または外部記憶装置２０４に選択的に記録する。ＴＮ＞ＴＷのとき、単位記録データを記録先切り替え部１０５のＡ側を通じて内部記憶装置１０９に記録する。ＴＮ＞ＴＷでないとき、単位記録データを記録先切り替え部１０５のＢ側を通じて通信装置１１１に送り、ネットワーク４０を介して、ＡＶサーバ２００の外部記憶装置２０４に記録する。記録先管理装置１０７には、単位記録データ毎に、記録先情報、順序情報、記録レート等からなる記録先管理情報を保持し、再生時等に使用する。【選択図】図１
2009302792.tif 000002
【特許請求の範囲】
【請求項１】
内部記憶装置と、
データを上記内部記憶装置に記録するデータ記録部と、
データをネットワークを介して外部記憶装置に転送して記録する通信部と、
記録データを所定単位で分割し、単位記録データ毎に、該単位記録データのデータレートと上記ネットワークの転送データレートとを比較し、該ネットワーク転送データレートが該単位記録データのデータレート以下のときは、該単位記録データを上記データ記録部により上記内部記憶装置に記録し、該ネットワークの転送データレートが該単位記録データのデータレートより大きいときは、該単位記録データを上記通信部により上記外部記憶装置に転送して記録する記録制御部と、
上記単位記録データ毎に、少なくとも、記録先を示す記録先情報と、データの順序を示す順序情報とを保持する情報保持部と
を備えるデータ記録装置。
【請求項２】
上記記録データを発生する記録データ発生部をさらに備える
請求項１に記載のデータ記録装置。
【請求項３】
上記記録データ発生部は、
撮像素子から出力される撮像信号を処理して画像データを得る撮像信号処理部と、
上記撮像信号処理部で得られた画像データに対してデータ圧縮処理を施して上記記録データを生成する画像圧縮処理部とを有する
請求項２に記載のデータ記録装置。
【請求項４】
上記所定単位は、上記画像圧縮処理部における上記データ圧縮処理の処理単位の整数倍である
請求項３に記載のデータ記録装置。
【請求項５】
上記情報保持部は、上記単位記録データ毎に、さらに、データレートの情報を保持する
請求項１に記載のデータ記録装置。
【請求項６】
上記記録データを記録することが停止されているとき、上記内部記憶装置に所定の単位記録データが記録されている場合、上記情報保持部に保持されている該所定の単位記録データのデータレートと上記ネットワークの転送データレートとを比較し、該ネットワークの転送データレートが該所定の単位記録データのデータレートより大きいときは、上記所定の単位記録データを上記内部記憶装置から読み出し、上記通信部により上記外部記憶装置に転送して記録すると共に、上記情報保持部における該所定の単位記録データの上記記録先情報を変更する転送制御部をさらに備える
請求項５に記載のデータ記録装置。
【請求項７】
内部記憶装置と、
データを上記内部記憶装置に記録するデータ記録部と、
データをネットワークを介して外部記憶装置に転送して記録する通信部とを備えるデータ記録装置におけるデータ記録制御方法であって、
記録データを所定単位で分割するデータ分割ステップと、
単位記録データ毎に、該単位記録データのデータレートと上記ネットワークの転送データレートとを比較し、該ネットワークの転送データレートが該単位記録データのデータレート以下のときは、該単位記録データを上記データ記録部により上記内部記憶装置に記録し、該ネットワークの転送データレートが該単位記録データのデータレートより大きいときは、該単位記録データを上記通信部により上記外部記憶装置に転送して記録する記録制御ステップと、
上記単位記録データ毎に、少なくとも、記録先を示す記録先情報と、データの順序を示す順序情報とを保持する情報保持ステップと
を有するデータ記録制御方法。
【請求項８】
内部記憶装置と、
上記内部記憶装置からデータを読み出すデータ再生部と、
外部記憶装置からネットワークを介してデータを読み出す通信部と、
記録データを所定単位で分割して得られた各単位記録データの、少なくとも、記録先を示す記録先情報と、データの順序を示す順序情報とを保持している情報保持部と、
上記情報保持部に保持されている上記記録先情報および上記順序情報に基づいて、上記データ再生部および上記通信部を制御し、上記記録データを構成する各単位記録データを順に読み出す読み出し制御部と、
上記データ再生部により上記内部記憶装置から読み出された単位記録データと上記通信部により上記外部記憶装置から上記ネットワークを介して読み出された単位記録データとを合成して出力するデータ合成部と
を備えるデータ再生装置。
【請求項９】
上記情報保持部は、上記単位記録データ毎に、さらに、データレートの情報を保持し、
上記通信部は、上記情報保持部に保持されている読み出し対象の単位記録データのデータレートと上記ネットワークの転送データレートとを比較し、該ネットワークの転送データレートが該読み出し対象の単位記録データのデータレートより大きいとき、上記外部記憶装置から、該読み出し対象の単位記録データと、その後に必要となる所定個数の単位記録データを連続して読み出して内部メモリにバッファリングする
請求項９に記載のデータ再生装置。
【請求項１０】
内部記憶装置と、
上記内部記憶装置からデータを読み出すデータ再生部と、
外部記憶装置からネットワークを介してデータを読み出す通信部と、
上記記録データを所定単位で分割して得られた各単位記録データの、少なくとも、記録先を示す記録先情報と、データの順序を示す順序情報とを保持している情報保持部とを備えるデータ再生装置におけるデータ読み出し制御方法であって、
上記情報保持部に保持されている上記記録先情報および上記順序情報に基づいて、上記データ再生部および上記通信部を制御し、上記記録データを構成する各単位記録データを順に読み出す読み出し制御ステップと
上記データ再生部により上記内部記憶装置から読み出された単位記録データと上記通信部により上記外部記憶装置から上記ネットワークを介して読み出された単位記録データとを合成して出力するデータ合成ステップと
を備えるデータ読み出し制御方法。
【請求項１１】
内部記憶装置と、
上記内部記憶装置にデータを記録すると共に、該内部記憶装置からデータを読み出すデータ記録／再生部と、
外部記憶装置にネットワークを介してデータを転送して記録すると共に、該外部記憶装置から上記ネットワークを介してデータを読み出す通信部と、
記録モードにおいて、記録データを所定単位で分割し、単位記録データ毎に、該単位記録データのデータレートと上記ネットワークの転送データレートとを比較し、該ネットワークの転送データレートが該単位記録データのデータレート以下のときは、該単位記録データを上記データ記録／再生部により上記内部記憶装置に記録し、該ネットワークの転送データレートが該単位記録データのデータレートより大きいときは、該単位記録データを上記通信部により上記外部記憶装置に転送して記録する記録制御部と、
上記記録モードにおいて、上記単位記録データ毎に、少なくとも、記録先を示す記録先情報と、データの順序を示す順序情報とを保持する情報保持部と、
再生モードにおいて、上記情報保持部に保持されている上記記録先情報および上記順序情報に基づいて、上記データ記録／再生部および上記通信部を制御し、上記記録データを構成する各単位記録データを順に読み出す読み出し制御部と
を備えるデータ記録／再生装置。
【発明の詳細な説明】
【技術分野】
【０００１】
この発明は、データ記録装置、データ記録制御方法、データ再生装置、データ読み出し制御方法およびデータ記録／再生装置に関する。詳しくは、この発明は、記録データを所定単位で分割し、単位記録データ毎に、単位記録データのデータレートとネットワークの転送データレートとの比較結果に基づいて、内部記憶装置または外部記憶装置に選択的に記録することにより、品質の低下を招くことなく、また簡易なシステムおよび制御によって、記録データを良好に記録可能としたデータ記録装置等に係るものである。
【背景技術】
【０００２】
近年、光ファイバー等の広帯域なネットワークインフラが整備され、さらに、Ｗｉ−Ｆｉ（WirelessFidelity）等の高速な無線通信技術の進歩とアクセスポイントの普及に伴い、デジタルビデオカメラ等の携帯型撮像機器を用いて撮影したコンテンツをネットワーク経由でＡＶサーバ等の外部記録装置に直接記録するシステムが現実的となってきた。
【０００３】
しかし、通信回線の速度は撮影場所に於けるネットワーク接続環境に大きく依存し、帯域、データ共に保証される状況は稀で、仮にデータが保証されたとしても、常に高い転送データレートを確保できるわけではない。
【０００４】
そこで、ネットワークの転送データレートに合わせて、データ圧縮率を制御することで、撮影ストリームをシーンの欠落無く、ＡＶサーバ等の外部記録装置に記録する方式（方式１）が提案されている（例えば、特許文献１参照）。また、ネットワークが高速であれば、記録中の画像データをそのままネットワーク経由でサーバに送り、そうでないときは画像データをストレージデバイスに一時的に記録し、その後、このストレージデバイスからネットワーク経由でサーバに送る方式（方式２）が提案されている（例えば、特許文献２参照）。
【特許文献１】特開２００２−１５２３１０号公報
【特許文献２】特開２００４−３５７０３１号公報
【発明の開示】
【発明が解決しようとする課題】
【０００５】
上述の方式１、方式２によれば、シーンの欠落無く外部記録装置に撮影ストリームを記録できる。しかし、上述の方式１、方式２には、以下のような不都合がある。すなわち、方式１においては、品質（画質）が低下する。また、方式２においては、システムや制御が複雑になる。
【０００６】
この発明の目的は、品質の低下を招くことなく、また簡易なシステムおよび制御によって、記録データを内部記憶装置、外部記憶装置に記録することにある。
【課題を解決するための手段】
【０００７】
この発明の概念は、
内部記憶装置と、
データを上記内部記憶装置に記録するデータ記録部と、
データをネットワークを介して外部記憶装置に転送して記録する通信部と、
記録データを所定単位で分割し、単位記録データ毎に、該単位記録データのデータレートと上記ネットワークの転送データレートとを比較し、該ネットワーク転送データレートが該単位記録データのデータレート以下のときは、該単位記録データを上記データ記録部により上記内部記憶装置に記録し、該ネットワークの転送データレートが該単位記録データのデータレートより大きいときは、該単位記録データを上記通信部により上記外部記憶装置に転送して記録する記録制御部と、
上記単位記録データ毎に、少なくとも、記録先を示す記録先情報と、データの順序を示す順序情報とを保持する情報保持部と
を備えるデータ記録装置にある。
【０００８】
この発明においては、内部記憶装置およびデータ記録部を備えており、内部記憶装置にはデータ記録部によりデータの記録が行われる。また、この発明においては、通信部を備えており、この通信部によりデータがネットワークを介して外部記憶装置に転送されて記録が行われる。
【０００９】
この発明において、記録データは所定単位で分割され、単位記録データ毎に、内部記憶装置または外部記憶装置に選択的に記録される。この場合、記録対象の単位記録データのデータレートとネットワークの転送データレートとが比較される。そして、ネットワーク転送データレートが記録対象の単位記録データのデータレート以下のとき、記録対象の単位記録データは、データ記録部により内部記憶装置に記録される。また、ネットワークの転送データレートが記録対象の単位記録データのデータレートより大きいとき、記録対象の単位記録データは通信部により外部記憶装置に転送されて記録される。
【００１０】
また、この発明においては、一連の単位記録データは内部記憶装置または外部記憶装置に選択的に記録されるが、情報保持部に、少なくとも、記録先を示す記録先情報とデータの順序を示す順序情報とが保持される。
【００１１】
このように、記録データが所定単位で分割され、単位記録データ毎に、単位記録データのデータレートとネットワークの転送データレートとの比較結果に基づいて、内部記憶装置または外部記憶装置に選択的に記録される。ネットワークの転送データレートに合わせて圧縮率を制御して外部記憶装置にだけ記録するというものではなく、一定の品質で記録が可能となり、品質の低下を招くことはない。また、ネットワークの転送データレートが記録データのデータレートより小さいとき、記録データを内部記憶装置に一時的に記録し、その後に外部記憶装置に転送して記録するというものではなく、簡易なシステムおよび制御で実現できる。
【００１２】
また、単位記録データ毎に、情報保持部に、少なくとも、記録先を示す記録先情報とデータの順序を示す順序情報とが保持される。そのため、この情報保持部に保持されている記録先情報および順序情報を用いることにより、記録データを構成する各単位記録データのそれぞれを内部記録装置または外部記録装置から順に読み出すことが可能となる。
【００１３】
この発明において、例えば、記録データを発生する記録データ発生部をさらに備える、ようにされてもよい。この記録データ発生部は、例えば、撮像素子から出力される撮像信号を処理して画像データを得る撮像信号処理部と、この撮像信号処理部で得られた画像データに対してデータ圧縮処理を施して記録データを生成する画像圧縮処理部を有するものとされる。
【００１４】
この発明において、例えば、記録データの分割単位である所定単位は、画像圧縮処理部におけるデータ圧縮処理の処理単位の整数倍とされる。例えば、データ圧縮処理の処理単位は、１または複数のフレームとされる。例えば、ＭＰＥＧ方式のデータ圧縮処理が行われる場合、その処理単位はＧＯＰ（Group of Picture）の１５フレームである。このように記録データの分割単位である所定単位がデータ圧縮処理の処理単位の整数倍とされることで、データ圧縮処理単位内で記録先の分離が起こらないため、記録先をそのままにデータ伸長処理を行って画像編集を行うことができ、高い編集性が得られる。
【００１５】
また、この発明において、例えば、情報保持部は、単位記録データ毎に、データレートの情報を保持する、ようにされてもよい。この場合、各単位記録データを上述したように内部記憶装置または外部記憶装置に記録した後に、各単位記録データのデータレートを容易に確認できる。
【００１６】
また、この発明において、記録データを記録することが停止されているとき、内部記憶装置に所定の単位記録データが記録されている場合、情報保持部に保持されている所定の単位記録データのデータレートとネットワークの転送データレートとを比較し、ネットワークの転送データレートが所定の単位記録データのデータレートより大きいときは、所定の単位記録データを内部記憶装置から読み出し、通信部により外部記憶装置に転送して記録すると共に、情報保持部における所定の単位記録データの記録先情報を変更する転送制御部をさらに備える、ようにされてもよい。これにより、記録データを構成する各単位記録データの大部分が、最終的に、外部記憶装置に記録された状態とできる。内部記憶装置の記憶容量の節約が可能となる。
【００１７】
また、この発明の概念は、
内部記憶装置と、
上記内部記憶装置からデータを読み出すデータ再生部と、
外部記憶装置からネットワークを介してデータを読み出す通信部と、
記録データを所定単位で分割して得られた各単位記録データの、少なくとも、記録先を示す記録先情報と、データの順序を示す順序情報とを保持している情報保持部と、
上記情報保持部に保持されている上記記録先情報および上記順序情報に基づいて、上記データ再生部および上記通信部を制御し、上記記録データを構成する各単位記録データを順に読み出す読み出し制御部と、
上記データ再生部により上記内部記憶装置から読み出された単位記録データと上記通信部により上記外部記憶装置から上記ネットワークを介して読み出された単位記録データとを合成して出力するデータ合成部と
を備えるデータ再生装置にある。
【００１８】
この発明においては、内部記憶装置およびデータ再生部を備えており、内部記憶装置からデータ再生部によりデータの読み出しが行われる。また、この発明においては、通信部を備えており、この通信部により外部記憶装置からネットワークを介してデータの読み出しが行われる。
【００１９】
この発明において、記録データは所定単位で分割され、単位記録データ毎に、内部記憶装置または外部記憶装置に選択的に記録されている。そして、情報保持部には、単位記録データ毎に、少なくとも、記録先を示す記録先情報とデータの順序を示す順序情報とが保持されている。
【００２０】
この発明においては、情報保持部に保持されている記録先情報および順序情報に基づいて、データ再生部および通信部が制御され、記録データを構成する各単位記録データが内部記憶装置または外部記憶装置から順に読み出される。そして、内部記憶装置から読み出された単位記録データと外部記憶装置からネットワークを介して読み出された単位記録データとが合成されて出力される。
【００２１】
このように、この発明においては、記録データを構成する各単位記録データが内部記憶装置または外部記憶装置に選択的に記録されていても、情報保持部に保持されている記録先情報および順序情報を用いることで、記録データを構成する各単位記録データを内部記憶装置または外部記憶装置から順に読み出すことが可能となる。
【００２２】
この発明において、例えば、情報保持部は、単位記録データ毎に、さらに、データレートの情報を保持し、通信部は、情報保持部に保持されている読み出し対象の単位記録データのデータレートとネットワークの転送データレートとを比較し、ネットワークの転送データレートが読み出し対象の単位記録データのデータレートより大きいとき、外部記憶装置から、読み出し対象の単位記録データと、その後に必要となる所定個数の単位記録データを連続して読み出して内部メモリにバッファリングする、ようにされてもよい。これにより、その後に、ネットワークが遮断、あるいは帯域低減した際でも、バッファリングしてある単位記録データを用いることで、ネットワークの途切れを感じさせないスムースなデータ再生が可能となる。
【発明の効果】
【００２３】
この発明によれば、記録データを所定単位で分割し、単位記録データ毎に、単位記録データのデータレートとネットワークの転送データレートとの比較結果に基づいて、内部記憶装置または外部記憶装置に選択的に記録するものであり、品質の低下を招くことなく、また簡易なシステムおよび制御によって、記録データを良好に記録できる。
【発明を実施するための最良の形態】
【００２４】
以下、図面を参照しながら、この発明の実施の形態について説明する。図１は、実施の形態としての撮像再生装置１００の構成例を示している。この撮像再生装置１００は、撮像素子１０および制御マイコン２０に接続され、カメラとしての機能を有している。
【００２５】
また、この撮像再生装置１００は、ネットワーク４０に有線もしくは無線で接続され、撮像された画像データを、ネットワーク４０を介して装置外に送り出すことが可能とされている。また、この撮像再生装置１００は、表示装置３０に接続され、記録スタンバイ中の画像や、記録中の画像、再生中の画像を確認することが可能とされている。
【００２６】
撮像素子１０は、撮影された光をフォトダイオード等により光電変換した後、Ａ／Ｄ変換を施して被写体に対応した撮像信号をデジタルデータとして出力するデバイスである。この撮像素子１０は、例えば、Ｃ−ＭＯＳ(Complementary Metal Oxide Semiconductor）撮像素子、あるいはＣＣＤ(Charge Coupled Device)撮像素子等である。
【００２７】
制御マイコン２０は、撮像再生装置１００の内部動作を管理し、記録モード時および再生モード時のシグナルフローをコントロールする。表示装置３０は、撮像再生装置１００に備え付けの小型液晶パネル、あるいは、外部接続のテレビディスプレイ等を表し、記録スタンバイ中あるいは記録中のカメラ信号処理結果を確認したり、再生画の鑑賞を行ったりすることができるデバイスである。
【００２８】
ネットワーク４０は、ＴＣＰ／ＩＰ（Transmission Control Protocol/InternetProtocol）等のプロトコルを用いたインターネット、イントラネットを示し、有線もしくは無線経由でアクセスすることで相互通信が可能となるインフラストラクチャで、ネットワーク上に配置されたＡＶサーバ２００との仲介を行う。
【００２９】
次に、撮像再生装置１００の内部構成について説明する。この撮像再生装置１００は、撮像信号処理部１０１と、表示装置制御部１０２と、画像圧縮処理部１０３と、画像伸長処理部１０４とを有している。また、この撮像再生装置１００は、記録先切り替え部１０５と、記録先制御部１０６と、記録先管理装置１０７と、記憶装置制御部１０８と、記憶装置１０９と、通信装置制御部１１０と、通信装置１１１とを有している。
【００３０】
撮像信号処理部１０１は、撮像素子１０から受け取った撮像信号に、ホワイトバランス、明るさ調整、ガンマ処理、Ｙ／Ｃ分離処理等の現像処理を施し、ＴＶフォーマットの画像データを生成する。画像圧縮処理部１０３は、撮像信号処理部１０１で生成された画像データに対し、ＭＰＥＧ（Moving Picture Expert Group）等の圧縮技術によってデータ量の圧縮を行って、記録データ（圧縮画像データ）を生成する。
【００３１】
画像伸長処理部１０４は、再生時に記録先切り替え部１０５から供給される記録データ（圧縮画像データ）を伸長する処理部であり、ベースバンドデータに変換した後に、表示装置制御部１０２に送る。表示装置制御部１０２は、接続された表示装置３０に合わせて解像度変換等の処理を行い、ベースバンドデータを出力する。
【００３２】
記録先切り替え部１０５は、記録先制御部１０６の指示により、内部記録か外部記録かを切り替えるブロックであり、後段には２つのパスが用意されている。一つは、記憶装置制御部１０８により適切なフォーマット変換が施され、ＨＤＤ（ハードディスクドライブ）あるいはフラッシュメモリといった記憶装置１０９に記録される系である。もう一つは、通信装置制御部により適切に変換が施され、イーサネット（登録商標）、Ｗｉ−Ｆｉ等の有線もしくは無線の通信装置１１１によりネットワーク４０に転送される系である。ここで、記憶装置制御部１０８はデータ記録部およびデータ再生部を構成している。また、記憶装置１０９は、内部記憶装置を構成している。
【００３３】
記録先制御部１０６は、これら２つの系を切り替える。この記録先制御部１０６は、画像圧縮処理部１０３から知らされる圧縮レート等の処理状態と、通信装置制御部１１０から知らされる通信装置１１１における転送レート等の通信状態を監視しており、適切な判断基準で記録先を切り替える。また、この記録先制御部１０６は、同時に、切り替え動作に付随する記録先管理情報を記録先管理装置１０７に記録する。この記録先管理装置１０７は、情報保持部を構成している。
【００３４】
次に、ＡＶサーバ２００の内部構成について説明する。このＡＶサーバ２００は、通信装置２０１と、通信装置制御部２０２と、記憶装置制御部２０３と、記憶装置２０４とを有している。
【００３５】
通信装置２０１は、ネットワーク４０と相互通信を行い、通信装置制御部２０２によって制御されている。ネットワーク４０から記録すべきデータが転送されてきた場合、通信装置制御部２０２は通信装置２０１を介してデータを受け取り、記憶装置制御部２０３を経由して、適切なフォーマットで記憶装置２０４に記録する。ここで、記憶装置２０４は外部記憶装置を構成している。
【００３６】
次に、記録先制御部１０６の動作について説明する。図２を参照して、ＬＩＮＫ状態の判断について説明する。画像圧縮処理部１０３により算出される記録データのデータレート（以下、「記録レート」と呼ぶ）をＴＷとし、通信装置制御部１１０により知らされるネットワークの転送データレート（以下、「ネットワーク転送レート」と呼ぶ）をＴＮとする。区間Ｔ０，Ｔ１，Ｔ３のように、記録レート（ＴＷ）がネットワーク転送レート（ＴＮ）を上回っている、もしくは同等の場合、ＬＩＮＫ状態を“Ｌ（遮断）”とし、Ｔ２，Ｔ４，Ｔ５，Ｔ６のように、ネットワーク転送レート（ＴＮ）が記録レート（ＴＷ）を上回っている場合、ＬＩＮＫ状態を“Ｈ（接続）”とする。
【００３７】
このように、遮断・接続状態を、ネットワーク転送レート（ＴＮ）、記録レート（ＴＷ）の絶対量ではなく相対比較して判断することで、画像圧縮処理部１０３において圧縮レートを上げた場合、ネットワークには接続できるものの、広帯域幅が安定的に確保できない場合でも、外部記憶装置への記録（以下、「ネットワーク記録」と呼ぶ）が可能となる。
【００３８】
また、記録先管理装置１０７に保持される記録先管理情報（管理データ）の構造について説明する。この記録先管理情報は、図３に示すように、４つの項目で構成される。記録単位（以下、「ＵＮＩＴ」と呼ぶ）は、例えば、ＭＰＥＧ等の圧縮単位であるＧＯＰ（Group of Pictures）の整数倍等、システムとして管理しやすいデータ群をひとまとめとして定義する。
【００３９】
項目１の“Ｔｉｍｅ  Ｓｔａｍｐ”には、各ユニットの記録データ（各単位記録データ）の代表画（例えば、ＧＯＰにおけるＩ−Ｐｉｃｔｕｒｅ等）のタイムコード（ＴＳ０，ＴＳ１，…）を記録する。項目２の“Ｓｃｅｎｅ  ＩＤ”には、システム内部で管理している連番（Ｐ０，Ｐ１，…）を記録する。項目３の“Ｃｏｍｐ  Ｄａｔａ  Ｒａｔｅ”には、その記録単位の平均データレート（ＤＲ０，ＤＲ１，…）を記録する。項目４の“Ｒｅｃ  Ｄｅｓｔ”には、記録先が内部（ｉｎ）か外部（ｏｕｔ）かのフラグを記録する。
【００４０】
ここで、“Ｔｉｍｅ  Ｓｔａｍｐ”および“Ｓｃｅｎｅ  ＩＤ”により各単位記録データの順序がわかる。この意味で、“Ｔｉｍｅ  Ｓｔａｍｐ”および“Ｓｃｅｎｅ  ＩＤ”の記録情報は、順序情報を構成する。
【００４１】
次に、記録モード時の動作について説明する。記録モードにおいて、画像圧縮処理部１０３で生成された記録データ（圧縮画像データ）の各ユニットの記録データは、記録先切り替え部１０５に送られる。ここで、１ユニットの記録データは単位記録データを構成する。
【００４２】
この記録モードにおいて、記録先制御部１０６により、記録対象の単位記録データ（１ユニットの記録データ）の記録先として内部記憶装置（記憶装置１０９）が選ばれた場合、図４に示すような、内部記録のシグナルフローとなる。すなわち、記録先切り替え部１０５はＡ側に接続され、当該記録対象の単位記録データは記憶装置制御部１０８に送られ、適切なフォーマット変換を施されて記憶装置１０９に記録される。
【００４３】
また、この記録モードにおいて、記録先制御部１０６により、記録対象の単位記録データ（１ユニットの記録データ）の記録先として外部記憶装置（記憶装置２０４）が選ばれた場合、図５に示すような、外部記録のシグナルフローとなる。すなわち、記録先切り替え部１０５はＢ側に接続され、当該記録対象の単位記録データは、通信装置制御部１１０により適切に変換が施され、通信装置１１１によりネットワーク４０に転送され、ＡＶサーバ２００の記憶装置２０４に記録される。
【００４４】
次に、記録モードの中でも特殊なモードである転送モードの動作について説明する。この転送モードにおいては、内部記憶装置（記憶装置１０９）に記憶された各単位記録データが、この内部記憶装置から外部記憶装置（記憶装置２０４）へと転送される。この転送モードにおいては、図６に示すような、シグナルフローとなる。
【００４５】
記録スタンバイ中、あるいはユーザ指示により、内部記憶装置（記憶装置１０９）に記憶されたデータを外部記憶装置（記憶装置２０４）へ転送する要求が生じた場合、記録先制御部１０６の指示により、記録先切り替え部１０５はＡ−Ｂが接続され、ネットワークの状態とシステムの状態を監視しながら、各単位記録データを圧縮データのまま転送する。このとき、画像伸長処理部１０４が転送中のデータを受け取り、伸長処理し、表示装置制御部１０２に送ることで、ユーザは、表示装置により、転送中のデータを確認することも可能となる。
【００４６】
図７のフローチャートは、図１に示す撮像再生装置１００における制御マイコン２０の記録モード時の制御処理の手順を示している。この制御マイコン２０は、記録モードにあるとき、図７のフローチャートの処理を、ユニット（記録単位）周期の最初のタイミングで開始する。ここで、制御マイコン２０は記録制御部を構成している。
【００４７】
制御マイコン２０は、制御処理を開始した後に、ステップＳ００１の処理に移る。このステップＳ００１において、制御マイコン２０は、撮像再生装置１００がネットワーク４０につながっていて通信が可能であるか否かを判断する。通信が可能であるとき、制御マイコン２０は、ステップＳ００２において、通信装置制御部１１０により知らされるネットワーク転送レート（ＴＮ）を確認し、その後、ステップＳ００３の処理に移る。
【００４８】
このステップＳ００３において、制御マイコン２０は、記録中にあるか否かを判断する。記録中にあるとき、制御マイコン２０は、ステップＳ００４において、画像圧縮処理部１０３により算出される、記録対象の単位記録データの記録レート（ＴＷ）を確認し、その後にステップＳ００５の処理に移る。
【００４９】
このステップＳ００５において、制御マイコン２０は、ネットワーク転送レート（ＴＮ）が記録レート（ＴＷ）より大きいか否かを判定する。ＴＮ＞ＴＷであるとき、制御マイコン２０は、ステップＳ００６の処理に移る。このステップＳ００６において、制御マイコン２０は、記録先切り替え部１０５をＢ側に接続し、記録対象の単位記録データに対して通信装置制御部１１０により適切な変換処理を施し、通信装置１１１によりネットワーク４０に転送し、ＡＶサーバ２００の記憶装置２０４に記録する。制御マイコン２０は、ステップＳ００６の処理の後、ステップＳ００７の処理に移る。
【００５０】
上述のステップＳ００５でＴＮ＞ＴＷでないとき、制御マイコン２０は、ステップＳ０１０の処理に移る。このステップＳ０１０において、制御マイコン２０は、記録先切り替え部１０５をＡ側に接続し、当該記録対象の単位記録データを記憶装置制御部１０８に送り、適切なフォーマット変換を施して記憶装置１０９に記録する。制御マイコン２０は、ステップＳ０１０の処理の後、ステップＳ００７の処理に移る。
【００５１】
このステップＳ００７において、制御マイコン２０は、記録先制御部１０６により記録先管理装置１０７における記録先管理情報（図３参照）を更新する。そして、制御マイコン２０は、ステップＳ００７の処理の後、ステップＳ００１の処理に戻る。
【００５２】
上述のステップＳ００３で記録中でないとき、例えば記録スタンバイ中であるとき、制御マイコン２０は、ステップＳ０１１において、記録先管理装置１０７に保持されている記録先管理情報を確認し、その後にステップＳ０１２の処理に移る。このステップＳ０１２において、制御マイコン２０は、記憶装置１０９に単位記録データが存在するか否かを判断する。
【００５３】
記憶装置１０９に単位記録データが存在するとき、制御マイコン２０は、ステップＳ０１３の処理に移る。このステップＳ０１３において、制御マイコン２０は、記憶装置１０９に存在する単位記録データのうち、所定の単位記録データを転送対象の単位記録データとする。例えば、所定の単位記録データは、記憶装置１０９に存在する単位記録データのうち、“Ｔｉｍｅ  Ｓｔａｍｐ”および“Ｓｃｅｎｅ  ＩＤ”で示される順序が、最も早いものとされる。そして、制御マイコン２０は、このステップＳ０１３において、上述の転送対象の単位記録データの記録レート（ＤＲ）を、記録先管理装置１０７に保持されている記録先管理情報（図３参照）に基づいて確認する。
【００５４】
次に、制御マイコン２０は、ステップＳ０１４において、ネットワーク転送レート（ＴＮ）が記録レート（ＤＲ）より大きいか否かを判断する。ＴＮ＞ＤＲであるとき、制御マイコン２０は、ステップＳ００６の処理に移る。すなわち、制御マイコン２０は、記録先切り替え部１０５のＡ−Ｂを接続し、記憶装置１０９から転送対象の単位記録データを取り出し、この転送対象の単位記録データに対して通信装置制御部１１０により適切な変換処理を施し、通信装置１１１によりネットワーク４０に転送し、ＡＶサーバ２００の記憶装置２０４に記録する。この意味で、制御マイコン２０は、転送制御部を構成している。一方、ステップＳ０１４でＴＮ＞ＤＲでないとき、制御マイコン２０は、ステップＳ００１の処理に戻る。
【００５５】
また、ステップＳ０１２で記憶装置１０９に単位記録データが存在しないとき、制御マイコン２０は、直ちに、制御処理を終了する。
【００５６】
また、上述のステップＳ００１で通信可能でないとき、制御マイコン２０は、ステップＳ００８において、記録中であるか否かを判断する。記録中であるとき、制御マイコン２０は、ステップＳ００９において、画像圧縮処理部１０３により算出される、記録対象の単位記録データの記録レート（ＴＷ）を確認し、その後にステップＳ０１０の処理に移る。
【００５７】
このステップＳ０１０において、制御マイコン２０は、記録先切り替え部１０５をＡ側に接続し、当該記録対象の単位記録データを記憶装置制御部１０８に送り、適切なフォーマット変換を施して記憶装置１０９に記録する。このように、記録中であるが、通信が不可能である場合には、ネットワーク転送レート（ＴＮ）とは関係なく、記録対象の単位記録データは、常に、記憶装置１０９に記録される。
【００５８】
また、ステップＳ００８において、記録中でないとき、制御マイコン２０は、直ちに、制御処理を終了する。
【００５９】
図８、図９は、記録モード時のタイミングチャートの一例を示している。“ＤＥＳＴ”信号は、“ＬＩＮＫ”信号からＵＮＩＴ単位毎に整えられた信号である。この“ＤＥＳＴ”信号に基づいて、ＵＮＩＴ単位毎の記録先切り替え処理を実現する。図８、図９に示すように、記録先管理装置に格納される記録先管理情報は、ＵＮＩＴ毎に追記され、もしくは修正され、後述する再生モード時にも利用される。
【００６０】
図８に示すタイミングチャートでは、シーンＩＤが同じＰ０であっても、Ｐ０−０，Ｐ０−１の単位記録データは、“ＤＥＳＴ”信号がロー（Ｌ）にあるので、内部記憶装置（記憶装置１０９）に記録されているが、Ｐ０−２，Ｐ０−３，Ｐ０−４の単位記録データは、“ＤＥＳＴ”信号がハイ（Ｈ）にあるので、外部記憶装置（記憶装置２０４）に記録されている。
【００６１】
また、図８に示すタイミングチャートでは、シーンＩＤが同じＰ１であっても、Ｐ１−０，Ｐ１−１，Ｐ１−２，Ｐ１−７の単位記録データは、“ＤＥＳＴ”信号がロー（Ｌ）にあるので、内部記憶装置（記憶装置１０９）に記録されているが、Ｐ１−３，Ｐ１−４，Ｐ１−５，Ｐ１−６の単位記録データは、“ＤＥＳＴ”信号がハイ（Ｈ）にあるので、外部記憶装置（記憶装置２０４）に記録されている。
【００６２】
また、図９に示すタイミングチャートにおいては、Ｐ１−０，Ｐ０−１，Ｐ０−２，Ｐ０−３の単位記録データは内部記憶装置（記憶装置１０９）に記録され、Ｐ１−４の単位記録データは外部記憶装置（記憶装置２０４）に記録されている。この状態で、記録中から記録スタンバイとなった場合、“ＤＥＳＴ”信号がハイ（Ｈ）にあることから、１−０，Ｐ０−１，Ｐ０−２，Ｐ０−３の単位記録データは内部記憶装置（記憶装置１０９）から外部記憶装置（記憶装置２０４）に転送されて記録される。
【００６３】
この場合、記録先管理装置１０７に保持されているＰ１−０，Ｐ０−１，Ｐ０−２，Ｐ０−３の単位記録データに関する管理データ（管理情報）については、転送前の管理データは消去され、転送後に合わせた管理データが新たに書き込まれる。
【００６４】
また、図９に示すタイミングチャートにおいては、上述の転送処理後に、再び記録中となり、Ｐ１−０，Ｐ１−１，Ｐ１−２，Ｐ１−３の単位記録データは、“ＤＥＳＴ”信号がハイ（Ｈ）にあるので、外部記憶装置（記憶装置２０４）に記録されている。
【００６５】
次に、再生モード時の動作について説明する。再生モードにおいて、内部記憶装置（記憶装置１０９）および外部記憶装置（記憶装置２０４）に記録されている記録データを構成する各単位記録データが順に読み出され、それぞれから読み出された単位画像データが記録先切り替え部１０５で合成されて、画像伸長処理部１０４に送られる。この意味で、記録先切り替え部１０５は、データ合成部を構成している。
【００６６】
この再生モードにおいて、記録先制御部１０６が記録先管理装置１０７に保持されている管理データ（管理情報）から、次に読み出すべき単位記録データが内部記憶装置（記憶装置１０９）に記録されていると判断した場合、図１０に示すような、内部記録データ再生のシグナルフローとなる。すなわち、記録先切り替え部１０５はＡ側に接続され、記憶装置１０９から読み出し対象の単位記録データの読出しが行われ、この読み出しデータは記録装置制御部１０８、記録先切り替え部１０５を介して画像伸長処理部１０４に送られる。
【００６７】
また、この再生モードにおいて、記録先制御部１０６が記録先管理装置１０７に保持されている管理データ（管理情報）から、次に読み出すべき単位記録データが外部記憶装置（記憶装置２０４）に記録されていると判断した場合、図１１に示すような、外部記録データ再生のシグナルフローとなる。すなわち、記録先切り替え部１０５はＢ側に接続され、記憶装置２０４から読み出し対象の単位記録データの読出しがネットワーク４０を介して行われ、この読み出しデータは通信装置１１１、通信装置制御部１１０、記録先切り替え部１０５を介して画像伸長処理部１０４に送られる。
【００６８】
記録先切り替え部１０５から画像伸長処理部１０４に送られる読み出しデータ（圧縮画像データ）は、この画像伸長処理部１０４で伸長処理された後に、表示装置制御部１０２に送られる。これにより、表示装置３０には、内部記憶装置（記憶装置１０９）および外部記憶装置（記憶装置２０４）から順に読み出された各単位記録データによる再生画像が表示される。
【００６９】
図１２のフローチャートは、図１に示す撮像再生装置１００における制御マイコン２０の、再生モード時のデータ読み出し制御処理の手順を示している。この制御マイコン２０は、再生モードにあるとき、図１２のフローチャートの処理を、再生処理周期の開始タイミングで開始する。ここで、再生処理周期は、上述したユニット（記録単位）の周期である。また、制御マイコン２０は、読み出し制御部を構成している。
【００７０】
制御マイコン２０は、制御処理を開始した後に、ステップＳＴ１０１において、記録先管理装置１０７に保持されている記録先管理情報を確認し、その後にステップＳ１０２の処理に移る。このステップＳ１０２において、制御マイコン２０は、再生データが存在するか否か、つまり少なくとも内部記憶装置（記憶装置１０９）または外部記憶装置（記憶装置２０４）に読み出すべき単位記録データが存在するか否かを判断する。
【００７１】
再生データが存在しないとき、制御マイコン２０は、直ちに処理を終了する。一方、再生データが存在するとき、制御マイコン２０は、ステップＳ１０３の処理に移る。このステップＳ１０３において、制御マイコン２０は、次に必要なデータ、つまり読み出し対象の単位記録データが外部記憶装置（記憶装置２０４）に記録されているか否かを判断する。
【００７２】
読み出し対象の単位記録データが内部記憶装置（記憶装置１０９）に記憶されているとき、制御マイコン２０は、ステップＳ１０４の処理に移る。このステップＳ１０４において、制御マイコン２０は、記憶装置制御部１０８により記憶装置１０９から読み出し対象の単位記録データを読み出す。そして、制御マイコン２０は、ステップＳ１０５において、記録先切り替え部１０５をＡ側に接続し、記憶装置制御部１０８から記録先切り替え部１０５を通じて、当該読み出しデータを画像伸長処理部１０４に送る。制御マイコン２０は、ステップＳ１０５の処理の後、ステップＳ１０１の処理に戻る。
【００７３】
上述のステップＳ１０３で読み出し対象の単位記録データが外部記憶装置（記憶装置２０４）に記憶されているとき、制御マイコン２０は、ステップＳ１０６の処理に移る。このステップＳ１０６において、制御マイコン２０は、撮像再生装置１００がネットワーク４０につながっていて通信が可能であるか否かを判断する。
【００７４】
通信が可能でないとき、制御マイコン２０は、直ちに処理を終了する。一方、通信が可能であるとき、制御マイコン２０は、ステップＳ１０７において、通信装置制御部１１０により知らされるネットワーク転送レート（ＴＮ）を確認する。さらに、制御マイコン２０は、ステップＳ１０８において、記録先管理装置１０７に保持されている当該読み出し対象の単位記録データの記録レート（ＤＲ）を確認する。
【００７５】
次に、制御マイコン２０は、ステップＳ１０９において、ネットワーク転送レート（ＴＮ）が記録レート（ＤＲ）より大きいか否かを判断する。ＴＮ＞ＤＲであって、読み出し対象の単位記録データの記録レート（ＤＲ）に対して充分なネットワーク転送レート（ＴＮ）を確保できないとき、制御マイコン２０は、ステップＳ１１０の処理に移る。このステップＳ１１０において、制御マイコン２０は、通信装置１１１により記憶装置２０４からネットワーク４０を介して読み出し対象の単位記録データを読み出す。
【００７６】
そして、制御マイコン２０は、読み出し対象の単位記録データの読み出しが完了した後、ステップＳ１０５において、記録先切り替え部１０５をＢ側に接続し、通信装置１１１から通信装置制御部１１０、記録先切り替え部１０５を通じて、当該読み出しデータを画像伸長処理部１０４に送る。制御マイコン２０は、ステップＳ１０５の処理の後、ステップＳ１０１の処理に戻る。
【００７７】
また、上述のステップＳ１０９でＴＮ＞ＤＲであって、読み出し対象の単位記録データの記録レート（ＤＲ）に対して充分なネットワーク転送レート（ＴＮ）を確保できるとき、制御マイコン２０は、ステップＳ１１１の処理に移る。このステップＳ１１１において、制御マイコン２０は、通信装置１１１により記憶装置２０４からネットワーク４０を介して読み出し対象の単位記録データを読み出す。
【００７８】
この場合、記録レート（ＤＲ）によらずに高速で読み出し（ダウンロード）を行い、読み出し対象の単位記録データだけでなく、その後に必要となる所定個数の単位記録データを連続して読み出す。ここで、読み出し個数は、各単位記録データの記録レート（ＤＲ）とネットワーク転送レート（ＴＮ）との兼ね合いで適宜決定される。例えば、読み出し対象の単位記録データからユニット（記録単位）の周期内に読み出しを開始し得る単位記録データまでが連続して読み出される。
【００７９】
制御マイコン２０は、ステップＳ１１２において、上述のステップＳ１１１で高速で読み出した各単位記録データを、内部メモリにバッファリングする。その後、制御マイコン２０は、ステップＳ１０５において、記録先切り替え部１０５をＢ側に接続し、通信装置１１１から通信装置制御部１１０、記録先切り替え部１０５を通じて、内部メモリにバッファリングしている読み出しデータを、各単位記録データの記録レート（ＤＲ）に合わせて画像伸長処理部１０４に送る。制御マイコン２０は、ステップＳ１０５の処理の後、ステップＳ１０１の処理に戻る。
【００８０】
図１３は、再生モード時のタイミングチャートの一例を示している。Ｐ０−０，Ｐ０−１の単位記録データは、“ＤＥＳＴ”フラグが内部（ｉｎ）であることから、内部記憶装置（記憶装置１０９）に記録されていることがわかる。そのため、これらの単位記録データは記憶装置制御部１０８により記憶装置１０９から読み出され、記録先切り替え部１０５を通じて画像伸長処理部１０４に送られる。
【００８１】
また、Ｐ０−１の単位記録データに続くＰ０−２，Ｐ０−３，Ｐ０−４の単位記録データは、“ＤＥＳＴ”フラグが外部（ｏｕｔ）であることから、外部記憶装置（記憶装置２０４）に記録されていることがわかる。そのため、これらの単位記録データは通信装置１１１により記憶装置２０４から読み出され、記録先切り替え部１０５を通じて画像伸長処理部１０４に送られる。
【００８２】
また、Ｐ０−４の単位記録データに続くＰ１−０，Ｐ１−１，Ｐ１−２の単位記録データは、“ＤＥＳＴ”フラグが内部（ｉｎ）であることから、内部記憶装置（記憶装置１０９）に記録されていることがわかる。そのため、これらの単位記録データは記憶装置制御部１０８により記憶装置１０９から読み出され、記録先切り替え部１０５を通じて画像伸長処理部１０４に送られる。
【００８３】
また、Ｐ１−２の単位記録データに続くＰ１−３，Ｐ１−４，Ｐ１−５，Ｐ１−６の単位記録データは、“ＤＥＳＴ”フラグが外部（ｏｕｔ）であることから、外部記憶装置（記憶装置２０４）に記録されていることがわかる。そのため、これらの単位記録データは通信装置１１１により記憶装置２０４から読み出され、記録先切り替え部１０５を通じて画像伸長処理部１０４に送られる。
【００８４】
さらに、Ｐ１−６の単位記録データに続くＰ１−７の単位記録データは、“ＤＥＳＴ”フラグが内部（ｉｎ）であることから、内部記憶装置（記憶装置１０９）に記録されていることがわかる。そのため、この単位記録データは記憶装置制御部１０８により記憶装置１０９から読み出され、記録先切り替え部１０５を通じて画像伸長処理部１０４に送られる。
【００８５】
図１３のタイミングチャートにおいて、「出力データ」は、記憶装置１０９および記憶装置２０４から読み出された各単位記録データが記録先切り替え部１０５で合成されて、画像伸長処理部１０４に出力される読み出しデータを示している。
【００８６】
以上説明したように、図１に示す撮像再生装置１００においては、記録モード時には、記録データ（圧縮画像データ）を分割して得られた各単位記録データは、画像圧縮処理部１０３により算出される記録レート（ＴＷ）と、通信装置制御部１１０より知らされるネットワーク転送レート（ＴＮ）との比較結果に基づいて、内部記憶装置（記憶装置１０９）または外部記憶装置（記憶装置２０４）に選択的に記録される。
【００８７】
したがって、記録データを構成する各単位記録データは、内部記憶装置（記憶装置１０９）または外部記憶装置（記憶装置２０４）のいずれかには記録されるので、ネットワーク４０の状態によってシーンが欠落するということはない。また、ネットワーク転送レートに合わせて圧縮率を制御して外部記憶装置にだけ記録するというものではなく、一定の品質で記録が可能となり、品質の低下を招くことはない。また、ネットワーク転送レートが記録レートより小さいとき、この記録データを内部記憶装置に一時的に記録し、その後に外部記憶装置に転送して記録するというものではなく、簡易なシステムおよび制御で実現できる。
【００８８】
また、図１に示す撮像再生装置１００においては、記録モード時には、単位記録データ毎に、記録先管理装置１０７に、記録先を示す記録先情報（“Ｒｅｃ  Ｄｅｓｔ”に記録される記録先を示すフラグ）と、データの順序を示す順序情報（“Ｔｉｍｅ  Ｓｔａｍｐ”に記録されるタイムコード、および“Ｓｃｅｎｅ  ＩＤ”に記録される内部システムが管理する連番）が保持される。そのため、再生モード時には、これらの情報を用いて、記録データを構成する各単位記録データを内部記録装置（記憶装置１０９）または外部記録装置（記憶装置２０４）から、順に読み出すことができる。
【００８９】
また、図１に示す撮像再生装置１００においては、記録データ（圧縮画像データ）の分割単位は、画像圧縮処理部１０３におけるデータ圧縮処理の処理単位の整数倍とされ、例えばＭＰＥＧ方式のデータ圧縮処理が行われる場合にはＧＯＰ（１５フレーム）のの整数倍とされる。したがって、記録モード時に、記録データを構成する各単位記録データが上述したように内部記憶装置（記憶装置１０９）または外部記憶装置（記憶装置２０４）に選択的に記録される場合、データ圧縮処理単位内で記録先が分かれるということがない。そのため、記録先をそのままにデータ伸長処理を行って画像編集を行うことができ、高い編集性が得られる。
【００９０】
また、図１に示す撮像再生装置１００においては、記録スタンバイとなったとき、内部記憶装置（記憶装置１０９）に所定の単位記録データが記録されており、その記録レート（ＤＲ）よりネットワーク転送レート（ＴＮ）が大きい場合には、当該所定の単位記録データが外部記憶装置（記憶装置２０４）に転送されて記憶され、また、記録先管理装置１０７における当該所定の単位記録データの記録先情報（フラグ）も変更される。したがって、記録データを構成する各単位記録データの大部分が、最終的に、外部記憶装置（記憶装置２０４）に記録された状態とでき、内部記憶装置（記憶装置１０９）の記憶容量の節約が可能となる。また、記録スタンバイになったとき自動的に転送が行われるものであり、ユーザの負担が軽減される。
【００９１】
また、図１に示す撮像再生装置１００においては、再生モード時には、記録先管理装置１０７に保持されている、記録先を示す記録先情報（“Ｒｅｃ  Ｄｅｓｔ”に記録される記録先を示すフラグ）と、データの順序を示す順序情報（“Ｔｉｍｅ  Ｓｔａｍｐ”に記録されるタイムコード、および“Ｓｃｅｎｅ  ＩＤ”に記録される内部システムが管理する連番）とを用いて、記録データの読み出しを行う。したがって、記録データを構成する各単位記録データが内部記録装置（記憶装置１０９）または外部記録装置（記憶装置２０４）にばらばらに記録されていても、当該各単位記録データを順に読み出すことができる。
【００９２】
また、図１に示す撮像再生装置１００においては、再生モードに、外部記憶装置（記憶装置２０４）から読み出し対象の単位記録データを読み出す際に、その記録レート（ＤＲ）に対してネットワーク転送レート（ＴＮ）が高く、充分な転送レートを確保できる場合には、記録レート（ＤＲ）によらずに高速で読み出し（ダウンロード）が行われ、読み出し対象の単位記録データだけでなく、その後に必要となる所定個数の単位記録データが連続して読み出されて、通信装置１１１の内部メモリにバッファリングされる。したがって、その後に、ネットワークが遮断、あるいは帯域低減した際でも、バッファリングしてある単位記録データを用いることで、ネットワークの途切れを感じさせないスムースなデータ再生が可能となる。
【００９３】
また、図１に示す撮像再生装置１００においては、記録モード時に、記録先管理装置１０７に保持される記録先管理情報に、単位記録データ毎に、記録先情報と共に、記録レート（ＤＲ）も含まれる。したがって、再生モード時に、外部記憶装置（記憶装置２０４）から所定の単位記録データを読み出す場合に、その記録レート（ＤＲ）とネットワーク転送レート（ＴＮ）とから、当該所定の単位記録データを外部記憶装置（記憶装置２０４）からネットワーク４０を介して読み出す際に必要とする時間を求めることができる。そのため、再生モード時に、このように求められる時間を参照して、外部記憶装置（記憶装置２０４）からの単位記録データの読み出しタイミングを早めたりする等の制御を行うことで、内部記憶装置（記憶装置１０９）からの読み出しデータによる再生と、外部記憶装置（記憶装置２０４）からの読み出しデータによる再生とを、シームレスに行うことが可能となる。
【００９４】
なお、上述実施の形態においては、画像データの記録および読み出しについて説明したが、実際には、この画像データに対応した音声データも、画像データに伴って記録および読み出しが行われる。上述したように、画像データ（圧縮画像データ）はデータ圧縮処理の処理単位の整数倍の単位で分割され、各分割画像データは、内部記憶装置（記憶装置１０９）または外部記憶装置（記憶装置２０４）に選択的に記録される。音声データに関しては、各分割画像データのそれぞれに対応した期間の音声データは、画像データと共に同じ記憶装置に記録される。
【００９５】
また、上述実施の形態においては、記録データが画像データであるものを説明したが、記録データとしては、画像データと音声データ、あるいは音声データのみである場合等も考えられる。また、上述実施の形態においては、画像データに対してデータ圧縮処理を施して得られた圧縮画像データを記録する例を示したが、圧縮処理をしないいわゆるＲＡＷデータを記録する場合にも適用できる。この場合、記録レート（ＴＷ）は一定であるが、ネットワーク転送レート（ＴＮ）がネットワーク環境によって変化することから、上述したと同様のことが言える。
【００９６】
また、上述実施の形態においては、撮像再生装置１００に記録データを発生する記録データ発生部としての撮像信号処理部１０１および画像圧縮処理部１０３を備えている。しかし、記録データが外部から供給される構成も考えられる。その場合にあっても、この発明を同様に適用できる。
【産業上の利用可能性】
【００９７】
この発明は、品質の低下を招くことなく、また簡易なシステムおよび制御によって、記録データを良好に記録可能としたものであり、ビデオカメラレコーダ（カムコーダ）等の撮像装置に適用できる。
【図面の簡単な説明】
【００９８】
【図１】この発明の実施の形態としての撮像再生装置の構成例を示すブロック図である。
【図２】ネットワーク転送レート（ＴＮ）および記録レート（ＴＷ）ＴＷの相対比較によるＬＩＮＫ状態の判断を説明するための図である。
【図３】記録先管理装置に保持される記録先管理情報の構造を説明するための図である。
【図４】記録モードにおいて、記録先として内部記憶装置が選ばれた場合のシグナルフローを示す図である。
【図５】記録モードにおいて、記録先として外部記憶装置が選ばれた場合のシグナルフローを示す図である。
【図６】記録モードの中でも特殊なモードである転送モードにおけるシグナルフローを示す図である。
【図７】撮像再生装置における制御マイコンの記録モード時の制御処理の手順を示すフローチャートである。
【図８】記録モード時のタイミングチャートの一例を示す図である。
【図９】記録モード時のタイミングチャートの一例を示す図である。
【図１０】再生モードにおいて、内部記憶装置からデータを読み出す場合のシグナルフローを示す図である。
【図１１】再生モードにおいて、外部記憶装置からデータを読み出す場合のシグナルフローを示す図である。
【図１２】撮像再生装置における制御マイコンの、再生モード時のデータ読み出し制御処理の手順を示すフローチャートである。
【図１３】再生モード時のタイミングチャートの一例を示す図である。
【符号の説明】
【００９９】
１０・・・撮像素子、２０・・・制御マイコン、３０・・・表示装置、４０・・・ネットワーク、１００・・・撮像再生装置、１０１・・・撮像信号処理部、１０２・・・表示装置制御部、１０３・・・画像圧縮処理部、１０４・・・画像伸長処理部、１０５・・・記録先切り替え部、１０６・・・記録先制御部、１０７・・・記録先管理装置、１０８・・・記憶装置制御部、１０９・・・記憶装置（内部記憶装置）、１１０・・・通信装置制御部、１１１・・・通信装置、２００・・・ＡＶサーバ、２０１・・・通信装置、２０２・・・通信装置制御部、２０３・・・記憶装置制御部、２０４・・・記憶装置（外部記憶装置
【図１】
2009302792.tif 000003
【図２】
2009302792.tif 000004
【図３】
2009302792.tif 000005
【図４】
2009302792.tif 000006
【図５】
2009302792.tif 000007
【図６】
2009302792.tif 000008
【図７】
2009302792.tif 000009
【図８】
2009302792.tif 000010
【図９】
2009302792.tif 000011
【図１０】
2009302792.tif 000012
【図１１】
2009302792.tif 000013
【図１２】
2009302792.tif 000014
【図１３】
2009302792.tif 000015